(57)【要約】【課題】ユニット工場での空調機の設置作業と、その後の施工現場への搬送作業とを好適に行うことができる空調設備の設置構造及び空調機の設置方法を提供する。【解決手段】ユニット工場では建物ユニット２０の天井裏スペースにおいて隣り合う天井小梁２５の間に空調機３０が仮設置される。空調機３０における天井小梁２５側の両側面には、ガイド板４０が取り付けられている。ガイド板４０は、空調機３０から側方に延びる支持板部４０ｂと、支持板部４０ｂの先端部が下方に折り曲げ形成されるとともにその板面が天井小梁２５の側面と対向する規制板部４０ｃとを有している。これにより、ガイド板４０の支持板部４０ｂが天井小梁２５上に設置されることにより空調機３０が天井小梁２５に支持される。そして、その支持状態で規制板部４０ａが天井小梁２５の側面にスライドされることにより空調機３０が天井小梁２５の長手方向に沿ってスライド移動される。【選択図】図３
2010196998.tif 000002
【特許請求の範囲】
【請求項１】
梁及び柱よりなる建物ユニットにより構築されるユニット式建物に適用され、前記建物ユニットの天井裏空間に空調機が設置される空調設備の設置構造において、
前記空調機には、対向する２つの側面から側方に延びる支持部材が設けられ、
前記支持部材が前記天井裏空間において隣り合う一対の天井梁上にそれぞれ載置されることで、前記空調機が前記天井梁の長手方向にスライド移動可能に支持されていることを特徴とする空調設備の設置構造。
【請求項２】
前記支持部材又は前記空調機には、前記空調機の移動方向を規制する規制部が設けられていることを特徴とする請求項１に記載の空調設備の設置構造。
【請求項３】
前記規制部は、前記支持部材に設けられ、前記支持部材より前記天井梁の側面に沿って下方に延びていることを特徴とする請求項２に記載の空調設備の設置構造。
【請求項４】
前記天井裏空間を室内空間と区画する床材又は天井材には、それら両空間を連通する開口部が設けられ、
前記開口部は、前記空調機が前記スライド移動可能な範囲の上方又は下方に設けられていることを特徴とする請求項１乃至３のいずれか一項に記載の空調設備の設置構造。
【請求項５】
前記天井裏空間における前記開口部の上方又は下方には、前記開口部を挿通可能な収納容器が着脱自在に設けられており、前記収納容器の側方に前記空調機が設置されていることを特徴とする請求項４に記載の空調設備の設置構造。
【請求項６】
前記天井梁には、前記空調機のスライド移動を前記天井梁の長手方向における所定位置で阻止する阻止手段が設けられていることを特徴とする請求項１乃至５のいずれか一項に記載の空調設備の設置構造。
【請求項７】
梁及び柱よりなる建物ユニットへの空調機の設置方法であって、
前記空調機に設けられ該空調機の対向する２つの側面から側方に延びる支持部材を天井裏空間において隣り合う一対の天井梁上に設置することにより前記空調機を前記各天井梁間において支持させ、
その支持状態で前記空調機を前記天井梁の長手方向に沿って所定位置までスライド移動させることを特徴とする空調機の設置方法。
【発明の詳細な説明】
【技術分野】
【０００１】
本発明は、空調設備の設置構造及び空調機の設置方法に関する。
【背景技術】
【０００２】
住宅等の建物において、天井裏スペースに空調室内機を設けるとともに、天井材に設けた吹出口から空調エアを吹き出す構成としたいわゆる隠蔽型空調設備が知られている。例えば、共通の空調機を用いて全館空調を行う全館空調システムが導入されている建物では、共通の空調機が天井裏スペースに設置されるとともに、その空調機から建物内の各部屋に延びるようにして複数の通気ダクトが設置され、空調機から各通気ダクトを通じて各居室に空調エアが供給されるようになっている。
【０００３】
ところで、複数の建物ユニットにより構築されるユニット式建物においても、天井裏のスペースに空調機が設置される場合がある。ユニット式建物は、予めユニット工場において建物ユニットを製造することにより、施工現場での工数を著しく削減することに特徴的な利点を有するものである。そこで、この建物ユニットの利点を引き出すために、空調機についても予めユニット工場において設置しようとする試みが行われている。例えば、特許文献１では、予めユニット工場において建物ユニットの天井裏スペースに空調機を設置する場合の構成が開示されている。
【先行技術文献】
【特許文献】
【０００４】
【特許文献１】実開平４−７４２２３号公報
【発明の概要】
【発明が解決しようとする課題】
【０００５】
ところで、ユニット工場で空調機を建物ユニットの天井裏スペースに設置する場合には、例えば空調機を持ち上げて天井裏スペースに運び入れる。そしてその後、天井裏スペースの所定の設置位置（例えば、同スペースの中央位置）まで空調機を移動させて設置する。
【０００６】
しかしながら、空調機は一般に重量物であるため、上記一連の設置作業を建物ユニットの側方から行うのには多大な労力と困難とを伴うことが想定される。また、空調機を工場設置する場合、空調機が天井裏スペースにおいて天井梁の上に設置されると、空調機が建物ユニット（例えば天井梁）の上端より大きく突出するため、建物ユニットを施工現場へ搬送する際に邪魔となるおそれがある。したがって、ユニット工場において空調機を建物ユニットに設置するにあたっては、工場での設置作業及び設置後のユニット搬送作業の面で未だ改善の余地があると考えられる。
【０００７】
本発明は、上記事情に鑑みてなされたものであり、ユニット工場での空調機の設置作業と、その後の施工現場への搬送作業とを好適に行うことができる空調設備の設置構造及び空調機の設置方法を提供することを主たる目的とするものである。
【課題を解決するための手段】
【０００８】
上記課題を解決すべく、第１の発明の空調設備の設置構造は、梁及び柱よりなる建物ユニットにより構築されるユニット式建物に適用され、前記建物ユニットの天井裏空間に空調機が設置される空調設備の設置構造において、前記空調機には、対向する２つの側面から側方に延びる支持部材が設けられ、前記支持部材が前記天井裏空間において隣り合う一対の天井梁上にそれぞれ載置されることで、前記空調機が前記天井梁の長手方向にスライド移動可能に支持されていることを特徴とする。
【０００９】
本発明によれば、空調機はその側面に設けられた支持部材により天井梁に支持されているため、例えば空調機がその底部で天井梁に支持される場合とは異なり、天井梁に対する空調機の高さ位置を低くすることができる。つまり、空調機を、隣り合う一対の天井梁の間において天井梁と横並びとなる高さ位置に設置することができる。これにより、天井梁の上端面よりも上方に空調機が突出することを制限できるため、例えば、建物ユニットの製造工場において同ユニットに空調機を設置し、その状態で建物ユニットを施工現場に搬送する場合には好都合となる。また、空調機は支持部材によりスライド可能に支持されているため、重量物である空調機の位置を変更する場合に好都合である。例えば、建物ユニットの製造工場において同ユニットの天井梁上に空調機を一旦設置し、その後位置変更する場合に好都合である。よって、ユニット製造工場での空調機の設置作業と、その後の施工現場への搬送作業とを好適に行うことができる。
【００１０】
第２の発明の空調設備の設置構造は、第１の発明において、前記支持部材又は前記空調機には、前記空調機の移動方向を規制する規制部が設けられていることを特徴とする。
【００１１】
本発明によれば、支持部材又は空調機に設けられた規制部により空調機の移動方向が規制されるため、空調機を安定した状態で所定位置まで移動させることができる。これにより、空調機のスライド時に支持部材が天井梁から外れてしまう等の不都合を抑制でき、空調機の移動作業を好適に行うことができる。
【００１２】
第３の発明の空調設備の設置構造は、第２の発明において、前記規制部は、前記支持部材に設けられ、前記支持部材より前記天井梁の側面に沿って下方に延びていることを特徴とする。
【００１３】
本発明によれば、支持部材より天井梁の側面に沿って下方に延びる規制部を天井梁の側面にスライドさせることで、空調機を天井梁の長手方向に沿って移動させることができる。これにより、空調機の移動方向を具体的に規制することができる。
【００１４】
第４の発明の空調設備の設置構造は、第１乃至第３のいずれかの発明において、前記空調機が設置される天井裏空間を室内空間と区画する床材又は天井材には、それら両空間を連通する開口部が設けられ、前記開口部は、前記空調機が前記スライド移動可能な範囲の上方又は下方に設けられていることを特徴とする。
【００１５】
本発明によれば、天井裏空間を室内空間と区画する天井材又は床材には、それら両空間を連通する開口部が設けられている。この開口部は、空調機がスライド移動可能な範囲における上方位置又は下方位置に設けられているため、空調機を開口部の上方位置又は下方位置までスライド移動させることができる。したがって、室内空間側から開口部を通じて空調機の点検を行うことが可能となる。なおここで、空調機がスライド移動可能な範囲とは、支持部材が載置される天井梁の長手方向におけるスライド可能範囲である。
【００１６】
また、空調機が設置（固定）される設置位置とは異なる位置の上方又は下方に開口部を設ければ、空調機の設置時に天井裏空間における開口部の上方位置又は下方位置が空きスペースとなる。よって、この場合その空きスペースを物品を収納する収納スペースとして使用することができる。
【００１７】
第５の発明の空調設備の設置構造は、第４の発明において、前記天井裏空間における前記開口部の上方又は下方には、前記開口部を挿通可能な収納容器が着脱自在に設けられており、前記収納容器の側方に前記空調機が設置されていることを特徴とする。
【００１８】
本発明によれば、天井裏空間における開口部の上方又は下方には収納容器が設けられているため、収納容器に物品を収納することができる。また、この収納容器は、開口部を挿通させることができるとともに着脱自在に設けられているため、開口部を通じて収納容器を天井裏空間の外に運び出すことができる。これにより、収納容器の側方に設置されている空調機を開口部の上方位置又は下方位置まで移動させることができるため、必要に応じて空調機の点検を行うことができる。
【００１９】
第６の発明の空調設備の設置構造は、第１乃至第５のいずれかの発明において、前記天井梁には、前記空調機のスライド移動を前記天井梁の長手方向における所定位置で阻止する阻止手段が設けられていることを特徴とする。
【００２０】
本発明によれば、天井梁に設けられた阻止手段により空調機のスライド移動を天井梁の長手方向における所定位置で阻止することができるため、空調機の押し過ぎにより空調機が所定の設置位置を越えてスライドされるのを防止することができる。これにより、空調機を所定位置まで移動させる作業をより一層好適に行うことが可能となる。また、ユニット工場において空調機をスライド移動させる作業は、建物ユニットの側方から行われることが考えられるが、この場合空調機を押し過ぎる事態は容易に想定できる。したがって、その点を鑑みても本発明の効果は大きい。
【００２１】
第７の発明の空調機の設置方法は、梁及び柱よりなる建物ユニットへの空調機の設置方法であって、前記空調機に設けられ該空調機の対向する２つの側面から側方に延びる支持部材を天井裏空間において隣り合う一対の天井梁上に設置することにより前記空調機を前記各天井梁間において支持させ、その支持状態で前記空調機を前記天井梁の長手方向に沿って所定位置までスライド移動させることを特徴とする。
【００２２】
本発明によれば、空調機の側面に設けられた支持部材を隣り合う各天井梁に設置させることにより、空調機を隣り合う各天井梁間において支持させることができる。この場合、空調機はその側面に設けられた支持部材により天井梁に支持されるため、例えば空調機がその底部で天井梁に支持される場合とは異なり、天井梁に対する空調機の高さ位置を低くすることができる。つまり、空調機を、隣り合う一対の天井梁の間において天井梁と横並びとなる高さ位置に設置することができる。これにより、天井梁の上端面よりも上方に空調機が突出することを制限できるため、例えば、建物ユニットの製造工場において同ユニットに空調機を設置し、その状態で建物ユニットを施工現場に搬送する場合に好都合となる。
【００２３】
また、空調機を各天井梁間に支持させた状態で天井梁の長手方向に沿って所定位置までスライド移動させることができるため、重量物である空調機を所定位置まで好適に移動させることができる。したがって、例えば、建物ユニットの製造工場において同ユニットに空調機を設置する際には、同ユニットの天井梁上における長手方向の一端側に空調機を一旦支持させ、その後その支持状態で空調機を所定の設置位置までスライド移動させることができる。よって、ユニット工場での空調機の設置作業を好適に行うことが可能となる。
【図面の簡単な説明】
【００２４】
【図１】空調システムの構成を示す平面図。
【図２】（ａ）が空調機の設置構造を示す縦断面図、（ｂ）が空調機の設置構造を示す平面図。
【図３】（ａ）が空調機の仮設置時における設置構造を示す縦断面図、（ｂ）が空調機のスライド移動を示す平面図。
【図４】ユニット式建物の概要を示す斜視図。
【図５】建物ユニットの骨格を示す斜視図。
【図６】（ａ）が別例における空調機の設置構造を示す縦断面図、（ｂ）が天井裏スペースの構成を示す縦断面図。
【発明を実施するための形態】
【００２５】
［第１の実施形態］
以下、本発明を具体化した一実施形態を図面に基づいて説明する。本実施形態では、鉄骨ラーメンユニット工法にて構築された２階建てユニット式建物に具体化しており、そのユニット式建物１０の概要を図４に示す。ユニット式建物１０は、複数の建物ユニット２０を結合させてなる建物本体１１と、この建物本体１１の上方に配設される屋根１２とにより構成されている。なお、ユニット式建物１０に使用される建物ユニット２０は、工場にてあらかじめ製造され、その後、建築現場にトラック等により運搬されるものとなっている。
【００２６】
図５は建物ユニット２０の構成を示す斜視図である。建物ユニット２０において、その四隅には柱２１が配され、各柱２１の上端部及び下端部がそれぞれ４本の天井大梁２２、床大梁２３により連結されている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。天井大梁２２（詳細には、溝形鋼のウエブ）には、複数箇所に直径１００ｍｍ程度の梁貫通孔２２ａが設けられている。
【００２７】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に水平に設けられている。
【００２８】
本実施形態のユニット式建物１０においては、１階部分及び２階部分においてそれぞれ全館空調システムが採用されている。全館空調システムは、階ごとに設けられる空調機と、その空調機から各建物ユニット（各部屋）に延びる通気ダクトとを有しており、空調機及び通気ダクトは各階の天井裏にそれぞれ設置されている。以下、この全館空調システムの構成について簡単に説明する。なお、１階部分及び２階部分の各全館空調システムの構成は概ね同様であり、その構成について図１に示す。図１は、１階部分における全館空調システムの構成を示す平面図である。図１では、説明の便宜上、各建物ユニット２０を単純な矩形枠にて示している。
【００２９】
図１に示すように、建物１０の一階部分は６つの建物ユニット２０により構成されており、そのうち１つの建物ユニット２０には空調機３０が設置されている。空調機３０には、複数の通気ダクト３１が接続されており、これら複数の通気ダクト３１がそれぞれ空調対象となる各建物ユニット２０に延びるように設けられている。具体的には、各通気ダクト３１は、天井大梁２２の梁貫通孔２２ａを通じて建物ユニット２０間を跨いで設けられていることで、空調対象の各建物ユニット２０に導かれている。各通気ダクト３１の先端部には給気口３２が設けられている。これにより、空調機３０から空調エアが通気ダクト３１を通じて各給気口３２へ導かれると、各給気口３２より空調対象の各建物ユニット２０内に空調エアが供給される。また、空調機３０には、その他に外気導入ダクト３３が接続されており、その外気導入ダクト３３を通じて外気が導入される。
【００３０】
次に、空調機３０の設置構造の詳細について図２に基づいて説明する。なお、図２は、（ａ）が１階部分及び２階部分の階間部分における空調機３０の設置構造を示す平面図であり、（ｂ）が同構造を示す縦断面図である。
【００３１】
図２（ａ）に示すように、一階部分の天井小梁２５の下面には、天井下地材としての野縁３４が当該天井小梁２５に沿って設けられ、野縁３４の下面には一階部分の天井面を形成する天井材３５がビス等により取り付けられている。一方、二階部分の床小梁２６上には、床下地材３６が敷設され、その上面には二階部分の床面を形成する床仕上材３７が敷設されている。そして、一階部分の天井材３５と二階部分の床下地材３６との間の天井裏スペースにおいて、隣り合う天井小梁２５の間に、空調機３０が配設されている。
【００３２】
空調機３０は、全体として略直方体状をなし、図２（ｂ）に示すように、平面視では天井小梁２５の長手方向に長い略長方形形状をなして形成されている。空調機３０を挟んで隣り合う天井小梁２５の間には、ストッパ３８が架け渡されている。ストッパ３８は、例えば断面Ｌ字形状の板材よりなり、各天井小梁２５に対してボルト等により固定されている。空調機３０は、その長手方向を向いた側面がこのストッパ３８に当接された状態で設置されている。なお、本実施形態では、空調機３０が天井小梁２５の長手方向における略中央部に設置されている。
【００３３】
図２（ａ）の説明に戻り、空調機３０には、ガイド板４０が取り付けられている。ガイド板４０は、金属製の板材よりなり、空調機３０における天井小梁２５側の両側面にそれぞれ取り付けられている。なおここで、ガイド板４０が支持部材に相当する。ガイド板４０は、空調機３０の天井小梁２５側の側面に取り付けられる取付板部４０ａと、取付板部４０ａの下端部が空調機３０から離間する側（以下、離間側という）に折り曲げ形成されることで天井小梁２５の上方に設けられた支持板部４０ｂと、支持板部４０ｂの離間側端部が下方に折り曲げ形成された規制板部４０ｃとを有している。ガイド板４０の取付板部４０ａは、空調機３０の天井小梁２５側の側面にボルト等により固定されている。
【００３４】
ガイド板４０の支持板部４０ｂの下面には、防振ゴム４２が設けられている。防振ゴム４２は、空調機３０の運転時における振動が天井小梁２５等を通じて居室側に伝わるのを抑制するための制振部材であり、例えば略円盤状に形成されたゴム材よりなる。
【００３５】
防振ゴム４２の下面には、金属製の板材よりなる支持台４１が設けられている。支持台４１は、その板面が防振ゴム４２の下面に当接される上板部４１ａと、上板部４１ａにおける天井小梁２５の長手方向両端部が下方に折り曲げ形成された一対の中間板部４１ｂと、各中間板部４１ｂの下端部が互いに離間する側に折り曲げ形成されるとともにその板面が天井小梁２５の上面に当接される一対の下板部４１ｃとを有している。支持台４１の上板部４１ａは、ガイド板４０の支持板部４０ｂとの間に防振ゴム４２を介在させた状態で、同支持板部４０ｂに対してボルト４３により連結されている。なお、このとき防振ゴム４２は、ボルト４３により貫通された状態となっている。そして、かかる連結状態において、支持台４１の下板部４１ｃが天井小梁２５の上面にビス４５により固定されており、これにより、空調機３０が天井小梁２５に対して固定されている。
【００３６】
なお、空調機３０は、この固定状態において、その上端部が天井大梁２２の上端部よりも上方に位置している。また、空調機３０に接続された通気ダクト３１は、天井小梁２５の上を跨いで空調機３０の側方へ延びるように設けられている。
【００３７】
ところで、本実施形態では、施工時における工数削減を図るために、空調機３０を予めユニット工場において建物ユニット２０の天井裏スペースに仮設置し、その仮設置した状態で建物ユニット２０を施工現場へ搬送するようにしている。この仮設置時には、空調機３０が建物ユニット２０内において天井大梁２２の上端高さよりも上方に突出しないように設置されるため、空調機３０が建物ユニット２０の搬送の支障となることがない。そして、施工現場では、建物ユニット２０に仮設置された空調機３０が一旦取り外され、仮設置位置とは異なる所定の設置位置（図２（ａ）に示す位置）に本設置される。具体的には、空調機３０は仮設置位置よりもやや上方の位置に本設置される。そのため、本実施形態では、空調機３０の仮設置時における設置構造と本設置時における設置構造とが相違している。そこで、以下に空調機３０の仮設置時における設置構造について図３に基づいて説明する。なお、図３は、（ａ）が空調機３０の仮設置時における設置構造を示す縦断面図であり、（ｂ）が空調機３０のスライド移動を示す平面図である。
【００３８】
図３（ａ）に示すように、空調機３０は、建物ユニット２０における隣り合う天井小梁２５間において仮設置される。この仮設置時には、空調機３０に取り付けられたガイド板４０に支持台４１及び防振ゴム４２が取り付けられておらず、ガイド板４０の支持板部４０ｂが天井小梁２５の上面に設置されている。これにより、空調機３０が天井小梁２５に支持されている。そして、その支持状態においてガイド板４０の支持板部４０ｂが天井小梁２５の上面にビス４７により固定されている。これにより、空調機３０が天井小梁２５に固定されている。
【００３９】
なお、空調機３０は、この仮設置状態において、その上端部が天井大梁２２の上端部とほぼ同じ高さ位置に、その下端部が天井大梁２２の下端部とほぼ同じ高さ位置に設定されている。また、空調機３０は、図３（ｂ）に示すように、この仮設置状態において、その長手方向を向いた側面がストッパ３８に当接されている。したがって、この場合においても、空調機３０は、図２（ｂ）に示す本設置の場合と同様、建物ユニット２０の天井裏スペースにおいて天井小梁２５の長手方向における略中央部に仮設置される。
【００４０】
ところで、ユニット工場では建物ユニット２０を自動搬送する搬送設備（ベルトコンベア等）が設けられ、その搬送設備の外側に立つ作業者によって空調機３０が建物ユニット２０内における仮設置位置まで、つまりは平面視における建物ユニット２０（天井裏スペース）の略中央位置まで運び込まれる。しかしながら、空調機３０は一般に重量物であるため、かかる仮設置位置まで空調機３０を運び込むのには多大な労力と困難とを伴うことが想定される。そこで、本実施形態では、空調機３０を天井小梁２５に支持させた状態で天井小梁２５に沿ってスライド移動可能とすることで、空調機３０を所定の仮設置位置まで運ぶ作業について作業性の改善を図っている。
【００４１】
具体的には、空調機３０の仮設置状態において、ガイド板４０の規制板部４０ｃは天井小梁２５における空調機３０側とは反対側の側面に対向している。そして、図３（ｂ）に示すように、その対向状態でガイド板４０の規制板部４０ｃが天井小梁２５の同側面に対してスライドされることにより、空調機３０が天井小梁２５の長手方向に沿ってスライド移動されるようになっている。
【００４２】
次に、ユニット工場において空調機３０を建物ユニット２０に仮設置する際の手順と、施工現場において空調機３０を本設置する際の手順とについて、図３（ｂ）を参照しつつ簡単に説明する。
【００４３】
まず、ユニット工場における空調機３０の仮設置作業について説明する。ここでは、ベルトコンベア等の搬送設備により搬送される建物ユニット２０に対して空調機３０を仮設置することを想定している。そのため、本作業は搬送設備の外側に立つ作業者Ｕにより建物ユニット２０の側方から行われるものである。
【００４４】
まず、ユニット工場では、空調機３０が天井小梁２５の長手方向における一端側において、隣り合う天井小梁２５の間に設置される（図３（ｂ）の一点鎖線参照）。この設置は、空調機３０の側面に予め取り付けられた各ガイド板４０の支持板部４０ｂが天井小梁２５上に載置されることにより行われる。これにより、ガイド板４０の規制板部４０ｃが天井小梁２５における空調機３０側とは反対側の側面と相対した状態で、空調機３０が天井小梁２５に支持される。
【００４５】
次に、空調機３０を所定の仮設置位置まで天井小梁２５に沿ってスライド移動させる作業が行われる。この作業は、空調機３０を作業者Ｕが天井小梁２５の長手方向における中央側に向かって押すことにより行われる。また、この作業は、予め天井小梁２５に取り付けられたストッパ３８に空調機３０が当接されるまで行われる。これにより、空調機３０が所定の仮設置位置に導かれる（図３（ｂ）の実線参照）。
【００４６】
次に、空調機３０を天井小梁２５に対して固定する作業が行われる。この作業は、ガイド板４０の支持板部４０ｂを天井小梁２５の上面にビス４７により固定することにより行われる。これにより、ユニット工場における空調機３０の仮設置作業が終了する。その後、製造された建物ユニット２０がトラック等により施工現場へ搬送される。
【００４７】
次に、施工現場における空調機３０の本設置作業について説明する。
【００４８】
施工現場では、１階部分の各建物ユニット２０が所定の位置に設置された後、まず空調機３０を固定しているビス４７が取り外され、空調機３０（ガイド板４０も含む）が仮設置位置より上方に持ち上げられる。そして、空調機３０を持ち上げたままガイド板４０の支持板部４０ｂに支持台４１と防振ゴム４２とがボルト４３により取り付けられ、その取付状態で空調機３０が建物ユニット２０における所定の設置位置（図２参照）に設置される。この設置は、各支持台４１の下板部４１ｃが天井小梁２５上に載置されることにより行われる。
【００４９】
なお、本実施形態では、空調機３０の本設置位置と仮設置位置とが平面視においてはほぼ同じ位置となっている。つまり、空調機３０の本設置位置と仮設置位置とは設置高さが異なるだけであり、詳細には空調機３０の本設置位置が仮設置位置よりも支持台４１及び防振ゴム４２の両高さ寸法分だけ上方に設定されている。そのため、本設置作業の際には空調機３０を持ち運ぶ必要がなく、容易に作業を行うことが期待できる。
【００５０】
次に、支持台４１の下板部４１ｃが天井小梁２５の上面に対してビス４７により固定される。これにより、空調機３０が所定の設置位置において固定される。その後、各通気ダクト３１が空調機３０に接続され、空調機３０の本設置作業が終了する。
【００５１】
以上、詳述した本実施形態の構成によれば、以下の優れた効果が得られる。
【００５２】
空調機３０の側面に設けられたガイド板４０の支持板部４０ｂを隣り合う天井小梁２５上に載置することにより、空調機３０を天井小梁２５の長手方向に沿ってスライド移動可能に支持する構成とした。この場合、空調機３０がその底部で天井小梁２５に支持される場合とは異なり、天井小梁２５に対する空調機３０の高さ位置を低くすることができるため、天井小梁２５の上端面よりも上方に空調機３０が突出することを制限できる。そのため、ユニット製造工場において建物ユニット２０に空調機３０を設置し、その状態で建物ユニット２０を施工現場に搬送する場合には好都合となる。また、空調機３０はガイド板４０の支持板部４０ｂによりスライド可能に支持されているため、重量物である空調機３０の位置を変更する場合には好都合である。したがって、例えばユニット製造工場において建物ユニット２０の天井裏スペースに空調機３０を設置する場合には、建物ユニット２０の天井小梁２５上に空調機３０を一旦設置し、その後所定の設置位置までスライド移動させることができる。よって、ユニット製造工場での空調機３０の設置作業を好適に行うことができる。
【００５３】
ガイド板４０には、支持板部４０ｂより下方に延びるとともに天井小梁２５における空調機３０側とは反対側の側面に対向する規制板部４０ｃを設けた。そのため、規制板部４０ｃを天井小梁２５の上記側面にスライドさせることにより空調機３０を天井小梁２５の長手方向に沿ってスライド移動させることができる。これにより、空調機３０の移動方向を規制することができるため、空調機３０を安定した状態で所定の位置まで移動させることができる。
【００５４】
隣り合う天井小梁２５の間に、空調機３０のスライド移動を仮設置位置で阻止するストッパ３８を掛け渡した。これにより、空調機３０の長手方向を向けた側面がストッパ３８に当接されることにより、空調機３０のスライド移動が仮設置位置で阻止されるため、空調機３０の押し過ぎにより空調機３０が仮設置位置を越えてスライドされるのを防止することができる。これにより、空調機３０を仮設置位置まで移動させる作業をより一層好適に行うことが可能となる。
【００５５】
〔第２の実施形態〕
第１の実施形態では、ユニット工場におけるユニット製造時において、空調機３０を天井小梁２５に支持させた状態で天井小梁２５に沿ってスライド移動できるようにしたが、本実施形態ではさらに空調機３０を建物１０に本設置した後においても空調機３０を天井小梁２５に沿ってスライド移動できるようにした。以下に、本実施形態の構成を図６に基づいて第１の実施形態との相違点を中心に説明する。図６は、（ａ）が空調機の設置構造を示す縦断面図であり、（ｂ）が天井裏スペースの構成を示す縦断面図である。なお、図６では第１の実施形態と同一の構成については同一の符号を付して説明を省略する。
【００５６】
図６（ａ）に示すように、一階部分の天井材３５と二階部分の床材５４との間の天井裏スペースには、隣り合う天井小梁２５の間に空調機３０が配設されている。本実施形態では、支持台４１の下板部４１ｃと天井小梁２５の上面との間に金属製の板材よりなるスライド板５０が設けられており、その点において第１の実施形態との間で空調機３０の設置構造が相違する。スライド板５０は、天井小梁２５に沿って延びるように形成されており、詳細には空調機３０の長手方向における長さ寸法よりも若干長い長さ寸法を有している。スライド板５０は、その縦断面が略Ｌ字状をなしており、支持台４１の下板部４１ｃと天井小梁２５の上面との間に設けられた支持板部５０ａと、支持板部５０ａの離間側端部（空調機３０から離間した側の端部）が下方に折り曲げ形成された案内板部５０ｂとを有している。スライド板５０は、その支持板部５０ａが支持台４１の下板部４１ｃの下面に溶接により固定されており、これにより空調機３０と一体化されている。したがって、空調機３０は、スライド板５０の支持板部５０ａが天井小梁２５上に支持されることで、隣り合う天井小梁２５間に設置されている。
【００５７】
スライド板５０の支持板部５０ａは、天井小梁２５の上面にボルト５１により固定されている。具体的には、図６（ｂ）に示すように、支持板部５０ａはその長手方向における一端部においてボルト５１により固定されている。また、支持板部５０ａの長手方向における他端部には、押え板５２が設けられている。押え板５２は段曲げされてなる板金部材であり、その下端面が天井大梁２２の上面に当接された状態で、当該天井小梁２５にビス等により固定されている。また、押え板５２は、その上端面を形成する板部が空調機３０側に向けられた状態で天井小梁２５に固定されている。そして、押え板５２の上記板部と天井小梁２５の上面との間の隙間には、スライド板５０の支持板部５０ａの長手方向他端部が差し込まれている。これにより、支持板部５０ａの当該他端部の移動が規制されている。よって、以上より、スライド板５０が天井小梁２５に対して固定され、ひいては空調機３０が天井小梁２５に対して固定される。
【００５８】
本実施形態では、ボルト５１を取り外すことにより、空調機３０を天井小梁２５に沿ってスライド移動させることが可能となっている。詳細には、空調機３０は押え板５２側とは反対側の領域においてのみスライド移動が可能となっている。スライド板５０の案内板部５０ｂは、天井小梁２５における空調機３０とは反対側の側面に重なり合っており、案内板部５０ｂが天井小梁２５の同側面にスライドされることにより空調機３０が天井小梁２５に沿ってスライド移動されるようになっている。
【００５９】
二階部分の床材５４には、二階居室と天井裏スペースとを連通する点検口５５が設けられている。点検口５５は、空調機３０の移動範囲上に設けられており、具体的には空調機３０の設置位置とは異なる位置の上方に設けられている。したがって、空調機３０を点検口５５の下方位置までスライド移動させることにより、点検口５５を通じて二階居室側から空調機３０の点検を行うことが可能となっている。なお、空調機３０の点検は空調機３０の上蓋を開いて行われるが、この上蓋は開放時において点検口５５に挿通されるようになっている。つまり、本実施形態の点検口５５は、空調機３０の上蓋を開いても上蓋が床材５４と干渉しないよう配慮されて設けられている。また、点検口５５には、当該点検口５５を開閉する点検扉５６が設けられている。点検扉５６は、二階居室側に開放可能とされている。
【００６０】
天井裏スペースにおける点検口５５の下方には、収納庫５７が設けられている。収納庫５７は上方に開口された箱体であり、その内部に物品を収納することが可能となっている。収納庫５７には、図示しない取付板が側面に取り付けられており、その取付板が天井小梁２５上に支持された状態で天井小梁２５に対しビスにより固定されている。また、収納庫５７は、点検口５５を挿通可能な大きさで形成されており、点検口５５を通じて二階居室側へ出し入れ可能とされている。
【００６１】
次に、空調機３０が故障した場合等に空調機３０を点検する際の手順について簡単に説明する。
【００６２】
まず、点検扉５６を開いて、収納庫５７を固定しているビスを取り外す。そして、収納庫５７を点検口５５を通じて天井裏スペースから取り出す。
【００６３】
次に、空調機３０を固定しているボルト５１を取り外し、空調機３０を点検口５５の下方位置までスライド移動させる。この作業は、例えば予め空調機３０に取り付けられたロープ等を引っ張ることにより行う。そして、空調機３０を点検口５５の下方まで移動させた後、空調機３０の上蓋を開け、空調機３０の内部を点検する。
【００６４】
空調機３０の点検終了後、空調機３０を元の設置位置までスライド移動させる作業を行う。この作業は、例えば点検口５５より天井裏スペースに上半身を突っ込み、その状態で空調機３０を設置位置の方に押すことにより行う。また、この作業は、スライド板５０の支持板部５０ａが押え板５２と天井小梁２５との間の隙間に差し込まれるまで行う。これにより、空調機３０は、所定の設置位置に移動される。
【００６５】
次に、空調機３０の固定作業を行う。この作業は、スライド板５０をボルト５１により天井小梁２５に固定することにより行う。これにより、空調機３０が設置位置において固定される。
【００６６】
その後、収納庫５７を点検口５５より天井裏スペースに運び込み、所定の設置位置に設置する。そして、ビスにより収納庫５７の取付板を天井小梁２５に固定する。これにより、収納庫５７が天井裏スペースにおいて固定される。そして、最後に点検扉５６を閉め、これにより空調機３０の点検作業が終了する。
【００６７】
以上、詳述した本実施形態の構成によれば、以下の優れた効果が得られる。
【００６８】
二階部分の床材５４には、二階居室と天井裏スペースとを連通する点検口５５を設け、その点検口５５を空調機３０がスライド移動可能な範囲における上方位置に配置した。これにより、空調機３０を点検口５５の下方位置までスライド移動させることができるため、二階居室側から点検口５５を通じて空調機３０の点検を行うことができる。また、点検口５５を空調機３０の設置位置とは異なる位置の上方に配置したため、空調機３０の設置時には天井裏スペースにおける点検口５５の下方位置は空きスペースとなっている。そのため、その空きスペースを物品を収納する収納スペースとして使用することが可能となる。
【００６９】
天井裏スペースにおける点検口５５の下方位置に収納庫５７を設けたため、収納庫５７に物品を収納することができる。この収納庫５７は、点検口５５を挿通可能な大きさで形成されており、またビスにより取り外し可能に設けられているため、点検口５５を通じて収納庫５７を天井裏スペースの外に運び出すことができる。これにより、収納庫５７を設けたにもかかわらず、空調機３０を点検口５５の下方位置まで移動させることができるため、必要に応じて空調機３０の点検を行うことができる。
【００７０】
［他の実施形態］
本発明は上記実施形態に限らず、例えば次のように実施されてもよい。
【００７１】
（１）上記実施形態では、ガイド板４０に規制部としての規制板部４０ｃを設け、その規制板部４０ｃを天井小梁２５における空調機３０側とは反対側の側面にスライドさせることにより空調機３０の移動方向を規制するようにしたが、空調機３０の移動方向を規制するための規制部の構成は必ずしもこれに限定されることはない。例えば、ガイド板４０の規制板部４０ｃに代えて又は付加して、天井小梁２５における空調機３０側の側面に相対するように内側規制板部をガイド板４０に設け、この内側規制板部を天井小梁２５の空調機３０側の側面にスライドさせることで空調機３０の移動方向を規制してもよい。
【００７２】
また、規制部をガイド板４０以外の部材、例えば空調機３０等に設ける構成としてもよい。具体的には、空調機３０を、その幅が隣り合う天井小梁２５の離間距離とほぼ同じとなるように形成することで、空調機３０の側面を規制部として用いることができる。この場合、空調機３０の側面を天井小梁２５の側面にスライドさせることで、空調機３０の移動方向を規制することができる。
【００７３】
（２）上記実施形態では、隣り合う各天井小梁２５のそれぞれに対してガイド板４０をスライドさせるようにしたが、隣り合う各天井小梁２５のうち一方の天井小梁２５にのみガイド板４０をスライドさせるようにしてもよい。具体的には、空調機３０の天井小梁２５側の両側面に取り付けられたガイド板４０のうち、一方の側面に取り付けられたガイド板４０を天井小梁２５上に支持される支持板（例えばガイド板４０から規制板部４０ｃを取り除いたもの）に代えることで実現することができる。この場合も、ガイド板４０の規制板部４０ｃを天井小梁２５における空調機３０側とは反対側の側面にスライドさせることにより、空調機３０を天井小梁２５に沿ってスライド移動させることができる。
【００７４】
（３）上記第１の実施形態では、ストッパ３８により空調機３０のスライド移動を阻止するようにしたが、ストッパ３８に代えて上記第２の実施形態における収納庫５７を用いて空調機３０のスライド移動を阻止するようにしてもよい。また、ストッパ３８等の阻止手段は必ずしも設ける必要はないが、空調機３０のスライド移動を所定位置で確実に止めることを考慮すると、阻止手段を設けるのが望ましい。
【００７５】
（４）上記第２の実施形態では、天井裏スペースにおける点検口５５の下方位置に収納庫５７を設けたが、収納庫５７は必ずしも設ける必要はなく、天井材３５の上に物品を置くなどして天井裏スペースに直接物品を収納するようにしてもよい。
【００７６】
（５）上記第２の実施形態では、二階部分の床材５４に点検口５５を設けることにより、二階居室から空調機３０の点検を行えるようにしたが、一階部分の天井材３５に点検口５５を設け、一階居室から空調機３０の点検を行えるようにしてもよい。なお、この場合、点検扉５６は、一階居室側へ開放させる構成とする。また、二階部分の床材５４と一階部分の天井材３５との双方に点検口を設ける構成としてもよい。
【００７７】
（６）支持部材としてのガイド板４０において、天井小梁２５との当接面に天井小梁２５に対する滑り度を高める部材を設けてもよい。例えば、低摩擦シートを設けたり、又はローラ等の回転部材を設けたりすることが考えられる。また、ガイド板を天井小梁２５との接触面積を小さくするように形成することで滑り度を高めてもよい。例えば、ガイド板の支持板部の下面に突起を設けることで、ガイド板を点状の頂部で天井小梁２５と接触させたり、また支持板部の下面にリブ形状の突起を設けることで、ガイド板を線状の頂部で天井小梁２５と接触させたりすることが考えられる。
【００７８】
（７）天井材において、空調機３０を支持する部分の強度を他の部分よりも高めるようにしてもよい。具体的には、空調機３０を支持する一対の天井小梁２５（以下、支持用天井小梁という）をその他の天井小梁２５よりも高強度の鋼材により形成する。例えば、鋼材の厚みを大きくしたり、鋼材のサイズを大きくしたりすることが考えられる。また、支持用天井小梁と天井大梁２２との連結部について、その他の天井小梁２５と天井大梁２２との連結部よりも連結強度を大きくしてもよい。例えば、天井小梁２５と天井大梁２２とを連結するブラケット自体を高強度のものにしたり、ブラケットと各天井梁２２，２５との溶接強度を溶接代を増やす等して大きくしたりすることができる。これにより、重量物である空調機３０を安定して設置することが可能となる。
【符号の説明】
【００７９】
１０…建物、２０…建物ユニット、２５…天井梁としての天井小梁、３１…空調機、３８…阻止手段としてのストッパ、４０…支持部材としてのガイド板、４０ｂ…支持板部、４０ｃ…規制部としての規制板部、５０…支持部材としてのスライド板、５５…開口部としての点検口、５７…収納容器としての収納庫。
【図１】
2010196998.tif 000003
【図２】
2010196998.tif 000004
【図３】
2010196998.tif 000005
【図４】
2010196998.tif 000006
【図５】
2010196998.tif 000007
【図６】
2010196998.tif 000008